(57)【特許請求の範囲】
【請求項１】
固体と液体を分離するスクリーンであって、
半径ｒ、長さＨ（ｒ＜Ｈ）の円筒形状の本体と、
この本体の一部分である前記本体の前記長さＨ方向に沿うと共に、前記本体の一
方の端部と前記本体の他方の端部とを接続する複数の長さ方向接続部と、
前記本体の一部分である前記本体の円周方向に沿うと共に、前記複数の長さ方向
接続部に接続される複数の円周方向接続部と、
隣接する前記円周方向接続部と隣接する前記長さ方向接続部に囲まれた前記本体の側
面であって、前記長さＨ方向に間隔を有して並設された前記本体の表面と裏面を貫通する
複数のスリットとを備え、
前記隣接する前記長さ方向接続部は、前記隣接する前記長さ方向接続部の一つである
一方の長さ方向接続部と前記隣接する前記長さ方向接続部の残りの一つである他方の長さ
方向接続部であり、
前記複数のスリットの隣接するスリット間の前記長さＨ方向と直交する円周長さｔ０
、
前記長さ方向接続部の前記長さＨ方向と直交する円周長さｔ１、
前記円筒形状の本体の前記長さＨ方向と直交する断面において、前記複数のスリット
は、前記一方の長さ方向接続部と前記他方の長さ方向接続部との間に位置する前記隣接す
るスリットの内、前記一方の長さ方向接続部に一番近い位置に一方側スリットが、前記他方の長さ方向接続部に一番近い位置に他方側スリットが、それぞれ位置し、
前記一方側スリットと前記他方側スリットとの前記長さＨ方向と直交する円周長さｔ２が
、
ｔ０＜ｔ１＜ｔ２の関係にあり、
前記本体の外周及び内周に前記本体と別個の強度保持部材がない
ことを特徴とするスクリーン。
【請求項２】
複数箇所の円周方向接続部の外周同士が径の大きさが、同一の円であり、
複数箇所の円周方向接続部の内周同士が径の大きさが、同一の円であり、
本体には、前記外周より外側に突出する部位及び前記内周より内側に突出する部位が
ない
ことを特徴とする請求項１記載のスクリーン。
【発明の詳細な説明】
【技術分野】
【０００１】
本発明は、スクリーンに係り、特に、円周型のスクリーン自体で強度を保持することができるスクリーンに関する。
【背景技術】
【０００２】
従来、固体と液体を分離するスクリーンとして、例えば、ウェッジワイヤースクリーンがある（例えば、特許文献参照）。 
このウェッジワイヤースクリーンは、流体をウェッジワイヤー（１０）の間に通すことにより、流体を濾過するためのもので、ウェッジワイヤー（１０）を支持する複数のサポートロッド（１１）を備えている。
【先行技術文献】
【特許文献】
【０００３】
【特許文献１】実用新案登録第３１８５９４８号公報
【発明の概要】
【発明が解決しようとする課題】
【０００４】
ところが、上記ウェッジワイヤースクリーンにあっては、ウェッジワイヤー（１０）のみでは、ウェッジワイヤースクリーンを構成できないため、ウェッジワイヤー（１０）を支持する複数のサポートロッド（１１）が必要となっており、そのため、ウェッジワイヤー（１０）とサポートロッド（１１）の接合部分が詰まり易く、該接合部分の近傍部位の清掃しづらいと共に、部品点数も多くコストの低減化を図ることができず、更に、ウェッジワイヤースクリーンを固液分離機に組み込んだ際、サポートロッド（１１）が必要な分、コンパクトに組み込むことができないという問題点が生じた。
【０００５】
本発明は、前記問題点を考慮してなされたスクリーンを提供することを目的とする。
【課題を解決するための手段】
【０００６】
請求項１記載のスクリーンは、固体と液体を分離するスクリーンであって、半径ｒ、長さＨ（ｒ＜Ｈ）の円筒形状の本体と、この本体の一部分である前記本体の前記長さＨ方向に沿うと共に、前記本体の一方の端部と前記本体の他方の端部とを接続する複数の長さ方向接続部と、前記本体の一部分である前記本体の円周方向に沿うと共に、前記複数の長さ方向接続部に接続される複数の円周方向接続部と、隣接する前記円周方向接続部と隣接する前記長さ方向接続部に囲まれた前記本体の側面であって、前記長さＨ方向に間隔を有して並設された前記本体の表面と裏面を貫通する複数のスリットとを備え、前記隣接する前記長さ方向接続部は、前記隣接する前記長さ方向接続部の一つである一方の長さ方向接続部と前記隣接する前記長さ方向接続部の残りの一つである他方の長さ方向接続部であり、前記複数のスリットの隣接するスリット間の前記長さＨ方向と直交する円周長さｔ０、
前記長さ方向接続部の前記長さＨ方向と直交する円周長さｔ１、前記円筒形状の本体の前記長さＨ方向と直交する断面において、前記複数のスリットは、前記一方の長さ方向接続部と前記他方の長さ方向接続部との間に位置する前記隣接するスリットの内、前記一方の長さ方向接続部に一番近い位置に一方側スリットが、前記他方の長さ方向接続部に一番近い位置に他方側スリットが、それぞれ位置し、前記一方側スリットと前記他方側スリットとの前記長さＨ方向と直交する円周長さｔ２が、ｔ０＜ｔ１＜ｔ２の関係にあり、前記本体の外周及び内周に前記本体と別個の強度保持部材がないものである。
【０００７】
また、請求項２記載のスクリーンは、請求項１記載のスクリーンにおいて、複数箇所の円周方向接続部の外周同士が径の大きさが、同一の円であり、複数箇所の円周方向接続部の内周同士が径の大きさが、同一の円であり、本体には、前記外周より外側に突出する部位及び前記内周より内側に突出する部位がないものである。
【発明の効果】
【０００９】
請求項１記載のスクリーンによれば、本体の長さＨ方向に沿うと共に、前記本体の一方の端部と前記本体の他方の端部とを接続する複数の長手方向接続部と、前記本体の円周方向に沿うと共に、前記複数の長さ方向接続部に接続される複数の円周方向接続部と、隣接する前記円周方向接続部と隣接する前記長さ方向接続部に囲まれた前記本体の側面であって、前記長さＨ方向に間隔を有して並設された前記本体の表面と裏面を貫通する複数のスリットとを備え、前記本体の外周及び内周に前記本体と別個の強度保持部材がないため、本体の強度を円周型のスクリーン自体で保ちながら複数のスリットを形成でき、また、本体の外周及び内周にリブ等の強度保持部材がないため、詰まり易い強度保持部材付近の清掃が不要な分、清掃し易いと共に、部品点数も少なく、容易に製造でき、コストの低減化を図ることができ、しかも、スクリーンを固液分離機に組み込んだ際、本体の外周に強度保持部材がない分、コンパクトに組み込むことができ、固液分離機自体をもコンパクト化することができる。
【００１０】
また、請求項２記載のスクリーンによれば、上述した請求項１記載の発明の効果に加え、本体には、前記外周より外側に突出する部位及び前記内周より内側に突出する部位がないため、清掃し易く、しかも、スクリーンを固液分離機に組み込んだ際、コンパクトに組み込むことができ、固液分離機自体をもコンパクト化することができる。
【図面の簡単な説明】
【００１２】
【図１】図１は、本発明の一実施例のスクリーンの概略的正面図である。
【図２】図２は、図１のＡ−Ａ線による概略的断面図である。
【図３】図３は、図１のＢ部を拡大して示す概略的一部拡大正面図である。
【図４】図４は、図１のスクリーンの製造過程を示す概略的正面図である。
【発明を実施するための形態】
【００１３】
本発明の一実施例のスクリーンを図面（図１乃至図４）を参照して説明する。
【００１４】
図１に示すＳは、固体と液体を分離するスクリーンで、このスクリーンＳは、例えば、図示しないスクリュプレス脱水機に使用されるものである。
【００１５】
スクリーンＳは、半径ｒ、長さＨ（ｒ＜Ｈ）の円筒形状の本体１を有している。１１は、本体１の長さＨ方向に沿うと共に、本体１の一方の端部１Ｘと本体１の他方の端部１Ｙとを接続する複数の長さ方向接続部で、１２は、本体１の円周方向に沿うと共に、複数の長さ方向接続部１１に接続される複数の円周方向接続部で、１３は、隣接する円周方向接続部１２、１２と隣接する長手方向接続部１１、１１に囲まれた本体１の側面であって、長さＨ方向に間隔を有して並設された本体１の表面と裏面を貫通する複数のスリットである。そして、本体１の外周及び内周に本体１と別個の強度保持部材がない［強度保持部材は、例えば、実用新案登録第３１８５９４８号公報で言えば、サポートロッド（１１）である。］。
【００１６】
従って、上述したスクリーンＳによれば、本体１の長さＨ方向に沿うと共に、本体１の一方の端部１Ｘと本体１の他方の端部１Ｙとを接続する複数の長手方向接続部１１と、本体１の円周方向に沿うと共に、複数の長さ方向接続部１１に接続される複数の円周方向接続部１２と、隣接する円周方向接続部１２、１２と隣接する長さ方向接続部１１、１１に囲まれた本体１の側面であって、長さＨ方向に間隔を有して並設された本体１の表面と裏面を貫通する複数のスリット１３、１３、１３・・・・とを備え、本体１の外周及び内周に本体１と別個の強度保持部材がないため、本体１の強度をスクリーンＳ自体で保ちながら複数のスリット１３、１３、１３・・・・を形成でき、また、本体１の外周及び内周にリブ等の本体１と別個の強度保持部材がないため、詰まり易い強度保持部材付近の清掃が不要な分、清掃し易いと共に、部品点数も少なく、容易に製造でき、コストの低減化を図ることができ、しかも、スクリーンＳを固液分離機に組み込んだ際、本体１の外周に本体１と別個の強度保持部材がない分、コンパクトに組み込むことができ、固液分離機自体をもコンパクト化することができる。
【００１７】
なお、図１及び図２に示すように、複数の円周方向接続部１２の外周は、同一の円であり、複数の円周方向接続部１２の内周は、同一の円であり、本体１には、複数の円周方向接続部１２の外周より外側に突出する部位及び複数の円周方向接続部１２の内周より内側に突出する部位がない。
そのため、清掃し易く、しかも、スクリーンＳを固液分離機に組み込んだ際、コンパクトに組み込むことができ、固液分離機自体をもコンパクト化することができる。
【００１８】
上述したスクリーンＳは、以下の製造方法で製造することができる。
図４に示す１０は、円筒形状の本体１の一方の端部１Ｘを保持すると共に、回動させる一方の回動保持部材で、２０は、円筒形状の本体１の他方の端部１Ｙから挿入して円筒形状の本体１の内周に位置して中実体（又は円筒体）３０を保持する他方の摺動保持部材で、４０は、水平部材５０を移動するレザーである。
図４に示すように、円筒形状の本体１の一方の端部１Ｘを一方の回動保持部材１０で、円筒形状の本体１の他方の端部１Ｙを他方の摺動保持部材２０で、それぞれ保持する。この状態で、レザー４０を水平部材５０に沿って移動させる。そして、保持された円筒形状の本体１の長手方向に沿ってレーザー４０で複数のスリット１３を形成し、形成後、円筒形状の本体１の外周及び内周に生じたバリを除去して製造するものである。
【００１９】
円筒形状の本体１は、例えば、ステンレスで、バリの除去は、例えば、図４に示す装置から円筒形状の本体１を取り外し、取り外した円筒形状の本体１を図示しない電解槽で、円筒形状の本体１をプラス側にして電解液を介して直流電流を流し、円筒形状の本体１表面のバリを溶解させる電解研磨によって行う。
【００２０】
なお、レザー４０でスリット１３を長手方向に沿って直線上に断続的に形成されると、一方の回動保持部材１０を回動させて、回動後、レーザー４０で円筒形状の本体１の側面に複数のスリット１３を断続的に形成して、以後、同様な動作を繰り返して、複数のスリット１３を円筒形状の本体１の側面全体に亘って形成していく。
【００２１】
その結果、図１乃至図３に示すように、複数の長手方向接続部１１は、本体１の長さＨ方向に沿うと共に、本体１の一方の端部１Ｘと本体１の他方の端部１Ｙとを接続するものであり、また、複数の円周方向接続部１２は、本体１の円周方向に沿うと共に、複数の長手方向接続部１１に接続されるものであり、本体１の外周及び内周に本体１と別個の強度保持部材を不要としたものとなる。
【００２２】
従って、上述したスクリーンの製造方法によれば、本体１の外周及び内周に強度保持部材を不要とした分、スクリーンＳをコンパクトに製造することができ、製造時間をも短縮することができる。
【符号の説明】
【００２３】
Ｓ      スクリーン
１      本体
１Ｘ    一方の端部
１Ｙ    他方の端部
１１    長さ方向接続部
１２    円周方向接続部
１３    スリット
【要約】
【課題】
本発明の目的は、コンパクトに製造することができるスクリーンを提供するものである。
【解決手段】
スクリーンＳは、固体と液体を分離するスクリーンＳであって、半径ｒ、長さＨ（ｒ＜Ｈ）の円筒形状の本体１と、この本体１の前記長さＨ方向に沿うと共に、本体１の一方の端部１Ｘと本体１の他方の端部１Ｙとを接続する複数の長さ方向接続部１１と、本体１の円周方向に沿うと共に、複数の長さ方向接続部１１に接続される複数の円周方向接続部１２と、隣接する円周方向接続部１２と隣接する長手方向接続部１１に囲まれた本体１の側面であって、前記長さＨ方向に間隔を有して並設された本体１の表面と裏面を貫通する複数のスリット１３とを備え、本体１の外周及び内周に前記本体と別個の強度保持部材がないものである。
【選択図】図１【図１】
0006755602.tif 000002
【図２】
0006755602.tif 000003
【図３】
0006755602.tif 000004
【図４】
0006755602.tif 000005